(57)【要約】  ハンドル１４と、ハンドルに取り付けられた剃毛カートリッジ１２とを備える、剃毛かみそりシステム１０。電源４０と通信する電気スイッチ４６を有する回路基板４２は、ハンドル内に位置付けられる。加熱素子１６は、電気スイッチと電気的に通信している。加熱素子は、皮膚接触表面１８を有する。加熱素子は、第１の所定温度及び第２の所定温度を有する。第２の所定温度は、第１の所定温度とは少なくとも２℃異なる。
2021516101.tif 000002
【特許請求の範囲】
【請求項１】
剃毛かみそりシステム（１０）であって、
ハンドル（１４）と、
前記ハンドルに取り付けられた剃毛カートリッジ（１２）と、
前記ハンドル内に位置付けられた電源（４０）と通信する電気スイッチ（４６）を有する回路基板（４２）と、
前記電気スイッチ（４６）と電気的に通信する加熱素子（１６）であって、皮膚接触表面（１８）を有する加熱素子と、を備え、前記加熱素子は、第１の所定温度及び第２の所定温度を有し、前記第２の所定温度は、前記第１の所定温度とは少なくとも２℃異なる、剃毛かみそりシステム。
【請求項２】
前記加熱素子（１６）及び前記電気スイッチ（４６）と電気的に通信するマイクロコントローラ（４４）を更に備える、請求項１に記載の剃毛かみそりシステム（１０）。
【請求項３】
前記第１の所定温度及び前記第２の所定温度のうちの少なくとも１つが、前記マイクロコントローラ（４４）によって設定される、請求項２に記載の剃毛かみそりシステム（１０）。
【請求項４】
前記第２の所定温度が、前記第１の所定温度とは少なくとも４℃異なる、請求項１〜３のいずれか一項に記載の剃毛かみそりシステム（１０）。
【請求項５】
前記第２の所定温度が、前記第１の所定温度とは少なくとも４〜５℃異なる、請求項１〜４のいずれか一項に記載の剃毛かみそりシステム（１０）。
【請求項６】
前記電気スイッチ（４６）が、前記加熱素子（１６）をオン状態とオフ状態との間で切り替える、請求項１〜５のいずれか一項に記載の剃毛かみそりシステム（１０）。
【請求項７】
前記オン状態が、第１の所定温度にある前記加熱素子（１６）又は前記第２の所定温度にある前記加熱素子を含む、請求項６に記載の剃毛かみそりシステム（１０）。
【請求項８】
前記電気スイッチ（４６）が、前記第１の所定温度と前記第２の所定温度との間で変化させるための第１のトグル時間と、オン位置とオフ位置との間で変化させるための第２のトグル時間とを有する、請求項１〜７のいずれか一項に記載の剃毛かみそりシステム（１０）。
【請求項９】
前記第１のトグル時間が前記第２のトグル時間よりも長い、請求項８に記載の剃毛かみそりシステム（１０）。
【請求項１０】
前記第１のトグル時間が少なくとも２秒である、請求項９に記載の剃毛かみそりシステム（１０）。
【請求項１１】
前記第２のトグル時間が２秒未満である、請求項５に記載の剃毛かみそりシステム（１０）。
【請求項１２】
前記加熱素子（１６）の温度を測定するために、前記マイクロコントローラ（４４）と通信する少なくとも１つの熱センサ（５２、５４）を更に備える、請求項２〜１１のいずれか一項に記載の剃毛かみそりシステム（１０）。
【請求項１３】
前記第１の所定温度が４３℃であり、前記第２の所定温度が４８℃である、請求項１〜１２のいずれか一項に記載の剃毛かみそりシステム（１０）。
【請求項１４】
第１のＬＥＤ（５８）及び第２のＬＥＤ（６０）を更に備え、前記マイクロコントローラ（４４）が、前記第１の所定温度のために前記第１のＬＥＤを作動させ、前記第２の所定温度のために前記第２のＬＥＤを起動させる、請求項２〜１３のいずれか一項に記載の剃毛かみそりシステム（１０）。
【請求項１５】
前記第１のＬＥＤ（５８）は、前記第２のＬＥＤ（６０）の色とは異なる色である、請求項１４に記載の剃毛かみそりシステム（１０）。
【発明の詳細な説明】
【技術分野】
【０００１】
本発明は、パーソナルケア製品に関し、より具体的には、加熱かみそり剃毛に関する。
【背景技術】
【０００２】
湿式剃毛かみそりの使用者は、一般的に、剃毛中に自身の皮膚に接する温かい感触を高く評価する。温かさは、良好な感触を与え、より快適な剃毛体験をもたらす。剃毛中に温かさを感じさせるために種々の試みがなされてきた。例えば、剃毛クリームは、剃毛クリームがシェービングキャニスタから放出されると、発熱反応をして皮膚に温かさを付与するように調合されてきた。また、かみそりカートリッジを通って熱を送達する様々な方法もまた特許文献において提案されてきた。様々な特許により、剃毛かみそりカートリッジ上のヒータバーなどの剃毛かみそりシステムの皮膚接触面を加熱することが提案されている。刃を加熱することもまた特許文献において提案されてきており、これは体毛を切断するために必要な力を減少させることができる。当該技術分野において開示されている剃毛かみそりシステムは、消費者にとってあまり直感的ではなく、そのため、剃毛中、つまり熱くなっている間に有益な暖かさを経験しない、未経験の使用者をもたらし得る。
【発明の概要】
【発明が解決しようとする課題】
【０００３】
したがって、剃毛中に安全かつ効果的な温感を提供する単純かつ直感的なユーザインターフェースを有する加熱剃毛かみそりを提供する必要性が存在する。
【課題を解決するための手段】
【０００４】
本発明は、一般に、ハンドルと、ハンドルに取り付けられた剃毛カートリッジとを備える、単純で効率的な剃毛かみそりシステムを特徴とする。電源と通信する電気スイッチを有する回路基板が、ハンドル内に位置付けられる。加熱素子は、電気スイッチと電気的に通信している。加熱素子は、皮膚接触表面を有する。加熱素子は、第１の所定温度及び第２の所定温度を有する。第２の所定温度は、第１の所定温度とは少なくとも２℃異なる。
【０００５】
本発明はまた、一般に、ハンドルを備える、単純で効率的な剃毛かみそりシステムを特徴とする。剃毛カートリッジは、ハンドルに取り付けられる。電気スイッチは、ハンドル内に位置付けられたマイクロコントローラと通信している。加熱素子は、マイクロコントローラと通信している。加熱素子は、皮膚接触表面を有する。加熱素子は、マイクロコントローラによって設定された第１の所定温度及びマイクロコントローラによって設定された第２の所定温度を有する。電気スイッチは、第１の所定温度と第２の所定温度との間を切り替えて変化させるための第１のトグル時間と、オン状態とオフ状態との間を切り替えて変化させるための第２のトグル時間とを有する。第１のトグル時間は、第２のトグル時間よりも長い。
【０００６】
本発明の１つ以上の実施形態の詳細を、添付図面及び以下の明細書に記述する。特定の実施形態は、本明細書において特に明記しない限り、概して開示されているが、組み合わされて明示的に例示又は特許請求の範囲に記載されていない本発明の要素又は構成要素を組み合わせることができることを理解される。本発明のその他の特徴及び利点は、明細書及び図面、並びに特許請求の範囲から明らかとなるであろう。
【図面の簡単な説明】
【０００７】
本明細書は、本発明として見なされる主題を詳細に示しかつ明確に特許請求する特許請求の範囲をもって完結するが、本発明は、以下の説明文を添付の図面と併せて読むことで更に深い理解がなされるものと考えられる。
【図１Ａ】剃毛かみそりシステムの可能な一実施形態の下面図である。
【図１Ｂ】図１Ａの剃毛かみそりシステムの上面図である。
【図２】一部が取り除かれた図１Ｂの剃毛かみそりシステムの上面図である。
【図３】図１Ａの剃毛かみそりシステムの加熱システムの斜視図である。
【図４】図１Ａの剃毛かみそりシステムの電気機能ユニットの斜視図である。
【図５】図１Ａの剃毛かみそりシステムの電気部品の第１のブロック図である。
【図６】ブロック図の第２の可能な実施形態である。
【発明を実施するための形態】
【０００８】
図１Ａ及び１Ｂを参照すると、剃毛かみそりシステム１０を説明する本開示の可能な一実施形態の上面図及び下面図（それぞれ）が示されている。特定の実施形態では、剃毛かみそりシステム１０は、ハンドル１４に取り付けられた剃毛かみそりカートリッジ１２を備えることができる。剃毛かみそりカートリッジ１２は、剃毛かみそりシステム１０の全体的な所望のコスト及び性能に応じてハンドル１４に固定的に又は枢動可能に取り付けられることができる。ハンドル１４は、皮膚接触表面１８を有する加熱部材１６に電力を供給する１つ以上の電池（図示せず）などの電源を保持することができる。加熱部材１６は、ハンドル１４又は剃毛かみそりカートリッジ１２の構成要素であってもよい。特定の実施形態では、加熱素子１６は、アルミニウム又は鋼などの金属を含んでもよい。
【０００９】
剃毛かみそりカートリッジ１２は、ハンドル１４に永続的に取り付けてもよく、又は取り外し可能に取り付けることで、剃毛かみそりカートリッジ１２を交換可能とすることができる。剃毛かみそりカートリッジ１２は、ガード２０と、キャップ２２と、キャップ２２とガード２０の間の１つ以上の刃２４と、を有することができる。刃２４は、１つ以上のクリップ２８ａ及び２８ｂによって剃毛かみそりカートリッジに固定されてもよい。ガード２０は、剃毛かみそりカートリッジ１２の前方部分に向かっていてもよく、キャップ２２は、剃毛かみそりカートリッジ１２の後方部分に向かっていてもよい（すなわち、ガード２０は、刃２４の前にあり、キャップは、刃２４の後ろにある）。ガード２０及びキャップ２２は、ガード２０及びキャップ２２に接する剃毛平面を画定し得る。ガード２０は、刃２４に対して概ね平行に延在する中実のバー又は分割されたバーであってもよい。特定の実施形態では、剃毛かみそりカートリッジ１２は、刃２４の前方に、剃毛ストローク中に皮膚を伸張させるための皮膚係合部材２６（例えば、複数のフィン又はエラストマーパッド）を備えてもよい。皮膚係合部材２６は、剃毛かみそりカートリッジ１２に対してインサート射出成形又は共射出成形されてもよい。しかしながら、接着剤、超音波溶接、又は機械的締結具などの他の既知の組立方法もまた使用されてもよい。皮膚係合部材２６は、約２０、３０又は４０〜約５０、６０又は７０のショアＡ硬度を有してもよい。より軟質の材料は、皮膚の伸張性を増すと共に、剃毛中の使用者の皮膚により好ましい感触をもたらすことができる。より軟質の材料は、剃毛時に使用者の皮膚に当たる刃２４又はガード２０の不快な感覚を感じにくくする助けともなり得る。
【００１０】
特定の実施形態では、刃２４の前で熱を提供することが所望され得る。例えば、加熱素子１６が、ガード２０の前及び皮膚係合部材２６の後ろに位置付けられてもよい。加熱素子１６は、剃毛体験を改善するために、剃毛ストローク中に消費者の皮膚に熱を送達する皮膚接触面１８（例えば、面板）を備えてもよい。以下でより詳細に説明するように、剃毛かみそりカートリッジ１２又はハンドル１４の一部のいずれか一方に加熱素子１６を取り付けることができる。他の実施形態では、加熱素子は、剃毛かみそりカートリッジ又はハンドル１２の加熱された刃又は他の皮膚接触表面を含んでもよいことが理解される。
【００１１】
図１Ａ及び図１Ｂに示されるように、加熱素子１６は、フレキシブル回路３６（図１Ａ）を介して電力回路（図示せず）と電気的に通信する作動部材３４（例えば、ボタン又はスイッチ）によって制御されてもよい。以下でより詳細に説明するように、ハンドル１４は、加熱素子１６の状態を示すために透明又は半透明の窓３６を有する光ガイド３２を備えてもよい。特定の実施形態では、作動部材３４は、（例えば、電力状態又は加熱レベルを示すために）剃毛かみそりシステム１０の状態を示す光ガイドとして機能してもよい。
【００１２】
キャップ２２は、ハウジング１８に取り付けられた別個の成形品（例えば、剃毛補助剤が充填されたリザーバ）又は押出成形された構成要素（例えば、押出成形された潤滑ストリップ）であってもよい。特定の実施形態では、キャップ２２は、皮膚を支持することを補助し、剃毛面を画定する、プラスチック製又は金属製のバーであってもよい。キャップ２２は、ハウジング１８と同じ材料で成形若しくは押出成形されてもよく、又は剃毛中の快適さを増すために、１つ又は２つ以上の水滲出性の剃毛補助剤材料を有するより潤滑な剃毛補助剤複合材料で成形又は押出成形されてよい。剃毛補助剤複合材料は、非水溶性ポリマーと、皮膚潤滑性の水溶性ポリマーと、を含んでもよい。使用することができる好適な非水溶性ポリマーとして、ポリエチレン、ポリプロピレン、ポリスチレン、ブタジエン−スチレンコポリマー（例えば、中耐衝撃性ポリスチレン及び高耐衝撃性ポリスチレン）、ポリアセタール、アクリロニトリル−ブタジエン−スチレンコポリマー、エチレン酢酸ビニルコポリマー、ポリプロピレン／ポリスチレンブレンドなどのブレンドが挙げられるが、これらに限定されず、Ｍｏｂｉｌ４３２４（Ｍｏｂｉｌ  Ｃｏｒｐｏｒａｔｉｏｎ）などの高耐衝撃性ポリスチレン（すなわち、ポリスチレン−ブタジエン）を有してもよい。
【００１３】
図２を参照すると、一部が取り除かれた図１Ａの剃毛かみそりシステムの上面図が示されている。剃毛かみそりシステム１０は、ハンドル１４内に位置付けられた電源４０（例えば、再充電可能な電池）を含んでもよい。電源４０は、マイクロコントローラ４４を有する回路基板４２と電気的に接触していてもよい。図１Ｂの作動部材３４は、マイクロコントローラ４４及び電源４０と通信する電気スイッチ４６を含んでもよい。例えば、消費者は、ハンドル１４内に位置付けられた電気スイッチ４６を作動させる作動部材３４に接触することができる。特定の実施形態では、マイクロコントローラ４４は、図１Ａのヒータ素子１６の第１の所定温度及び第２の所定温度を設定できる。第２の所定温度は、第１の所定温度とは少なくとも２、３、４、又は５℃異なっていてもよい。特定の実施形態では、第１の所定温度は約４３℃であってもよく、これは、高い割合の消費者が、剃毛ストローク中の快適なレベルの熱を感じることができる温度を示す。特定の実施形態では、第２の所定温度は約４８℃であってもよく、これは、ほとんどの消費者が耐えることができ、剃毛ストローク中に不快なレベルの熱（例えば、灼熱感）を感じない最大温度を示す。所定温度は、皮膚界面における実際の温度からわずかに変化し得る温度設定である。例えば、使用者が剃毛かみそりカートリッジ１２を皮膚上で往復させると、システムの電気加熱電力が制限されることにより、温度が低下し得る。
【００１４】
皮膚を加熱するための限られた数の所定温度を有する加熱素子１６（図１Ａ）を有する剃毛かみそりシステム１０は、剃毛ストローク中に、より直感的で安全かつ効果的な熱の送達を生み出す。理論に束縛されるものではないが、集団の大半は、剃毛中の２℃の温度変化を伝えることのみができると考えられる。集団のより高い割合は、温度差が５℃まで増加すると、剃毛ストローク中に差を伝えることができる。所定温度は、火傷せずに快適なレベルの熱を提供する適切な温度を選択する際に、消費者の当て推量を排除する。
【００１５】
図３を参照すると、図１Ａの剃毛かみそりシステム１０内に組み込まれ得る加熱システム４８の斜視図。加熱システム４８は、電源４０と、回路基板４２と、電気スイッチ４６と、可撓性電気ブリッジ５０と、加熱素子１６と、を含み得る。加熱素子１６は、加熱素子１６の温度を測定し、マイクロコントローラ４４に情報を提供するための少なくとも１つの熱センサ５２及び５４を有してもよい。マイクロコントローラ４４は、加熱素子１６及び電気スイッチ４６と電気的に通信してもよい。
【００１６】
電気スイッチ４６は、オン状態とオフ状態との間で加熱素子１６を切り替えることができる。オフ状態では、加熱素子に電力が供給されなくてもよい。したがって、加熱素子１６は、オフ状態（例えば、加熱素子１６が冷却された後）で周囲温度であってもよい。オン状態では、加熱素子１６は、第１の所定温度又は第２の所定条件にあってもよい。例えば、消費者が加熱素子１６をオフ状態に変更すると、マイクロコントローラ４４は、加熱素子１６がオフ状態の直前に第１の所定温度又は第２の所定温度であったかどうかをメモリに記憶することができる。電気スイッチ４６は、加熱素子１６を第１の所定の状態と第２の所定の状態との間で切り替えることができる。１つ以上のＬＥＤ５８、５９及び６０は、回路基板４２上に位置付けられてもよい。ＬＥＤは、マイクロコントローラ４４と電気的に通信して、加熱素子１６の状態及び／又は電力の状態（例えば、オン又はオフ状態）を示すことができる。
【００１７】
理論に束縛されるものではないが、消費者は、第１の所定の状態と第２の所定の状態との間よりも、オン状態とオフ状態との間を切り替えると考えられる。消費者が、好み得る温度設定を特定すると、典型的には、他の所定条件に切り替えない。特定の実施形態では、電気スイッチは、第１の所定温度と第２の所定温度との間で変化させるための第１のトグル時間と、オン状態と異なるオフ状態との間で変化させるための第２のトグル時間とを有してもよい。第１のトグル時間は、第２のトグル時間よりも長くてよい。理論に限定されるものではないが、消費者は、装置を使用するたびに少なくとも２回、剃毛かみそりシステムのオン／オフ機能を使用すると考えられる。例えば、最初が装置をオンにするときで、２回目は装置をオフにするときである。しかしながら、消費者が剃毛に好ましい温度を特定すると、消費者は、温度を再び変化させるために機能を起動することはめったにない。したがって、ユーザがボタンを押すとき、その意図は装置をオフにする可能性が高いため、オン／オフ状態の時間が短いことが好ましい場合がある。例えば、第１のトグル時間は少なくとも２秒であってもよく、第２のトグル時間は２秒未満であってもよい。
【００１８】
図４を参照すると、回路基板４２に取り付けられた光ガイド３２の斜視図が示されている。明確にするために、特定の構成要素が回路基板４２から取り除かれている。第１のＬＥＤ５８及び第２のＬＥＤ６０は、回路基板４２上に位置付けられてもよい。マイクロコントローラ４４（図３）は、第１の所定温度のために第１のＬＥＤ５８を、また第２の所定温度のために第２のＬＥＤ６０を電子的に起動してもよい。特定の実施形態では、第１のＬＥＤ５８は、第２のＬＥＤ６０とは異なる色であってもよく、したがって、消費者が、加熱素子１６が第１の所定温度又は第２の所定温度に設定されているかを容易に判定することができる。光ガイド３２は、本体６４から延在するアーム６２を有してもよい。アーム６２は、第１のＬＥＤ５８及び第２のＬＥＤ６０に面する底面６５を有してもよい。したがって、光は、第１のＬＥＤ５８及び第２のＬＥＤ６０からアーム６２を通って光ガイド３２の本体６４まで移動することができる。アーム６２は、電源をオン及びオフにする電気スイッチ４６に接触してもよい。
【００１９】
第２のアーム６１は、本体６４から作動部材３４まで延在してもよい。作動部材３４は、第３のＬＥＤ５９に面する底面６３を有してもよい。作動部材３４の下方に１つのみのＬＥＤ６７が示されているが、所望の機能性及び所望される消費者フィードバックに応じて、異なる色を有する２つ以上のＬＥＤが存在し得ることが理解される。
【００２０】
図５を参照すると、図１Ａの剃毛かみそりシステム１０のエネルギーを制御するための電気システム６５のブロック図の可能な一実施形態が示されている。電源４０（例えば、電池）は、マイクロコントローラ４４、測定及び安全回路６６、並びに電力切替回路６８に電力を供給してもよい。電気スイッチ４６（オン／オフ及び温度スイッチとして表示される）は、マイクロコントローラ４４に信号を送ってもよい。続いて、マイクロコントローラ４４は、第１のＬＥＤ５８（例えば、加熱インジケータ高温と表示される、高温加熱インジケータ）又は第２のＬＥＤ６０（例えば、加熱インジケータ高温と表示される低温加熱インジケータ）のうちの１つに信号を出力して、所望の温度設定を指示してもよい。マイクロコントローラ４４はまた、出力信号を電力切替回路６８に送ることができ、加熱部材１６（ヒータとして表示される）に信号を送信し、加熱部材１６を特定の所定温度まで加熱させる。１つ以上の温度センサ７０は、加熱部材１６の温度を測定し、測定及び安全回路６６及びマイクロコントローラ４４に信号を送信する。測定及び安全回路６６は、温度が特定の閾値レベルを上回る（例えば、不快であるか、又は皮膚に火傷を与え得る）場合に、電力切替回路６８に信号を送信する。電力切替回路６８は、加熱部材１６への電力供給を減少し、又は停止し、温度センサ７０によって測定されている温度を低下させる。マイクロコントローラ４４はまた、温度センサ７０から信号を受信する。したがって、マイクロコントローラ４４もまた、加熱部材１６への電力供給を減少し、又は停止し、温度センサ７０によって測定されている温度を低下させることができる。したがって、２つの独立したシステムが、剃毛中に消費者に不快感又は火傷を生じさせ得る過熱を起こさないように、加熱部材１６を制御することができる。スイッチ４６は、２回目に押圧され、別の信号をマイクロコントローラ４４に送信して、温度を変化させるか、又は電源をオフにすることができる。上述したように、マイクロコントローラ４４は、スイッチが押圧される時間に応じて、送信する信号（例えば、電源４０へのオフ信号、又は電力切替回路６８への温度変更信号）を決定する。マイクロコントローラ４４は、ＬＥＤ５８、６０のうちの１つに信号を送信して、新しい設定温度を示し、また電力切替回路６８にも信号を送信し、加熱部材１６の温度を変化させてもよい。あるいは、マイクロコントローラ４４は、電源４０に信号を送信して電源スイッチ回路６８、測定及び安全回路６６への電力供給を停止してもよい。マイクロコントローラ４４はまた、ＬＥＤ５８及び６０の両方への電源供給を停止することによって、ユーザに対してオフ状態を示してもよい。
【００２１】
図６を参照すると、図１Ａの剃毛かみそりシステム１０のエネルギーを制御するための電気システム７２のブロック図の可能な別の実施形態が示されている。電気システム７２は、図５の電気システム６５と同様又は同じ構成要素を有してもよい。例えば、電気システム６５は、図５のマイクロコントローラ４４の代わりに温度制御及びユーザインターフェース回路７４を用いてもよい。加えて、スイッチ４６は、２つの別個のスイッチ７６及び７８によって置き換えられてもよい。オン／オフスイッチ７６は、作動時に電源をオン又はオフにすることができる。加熱部材１６の温度は、温度選択スイッチ７８を作動させることによって変更されてもよい。スイッチ７８は、第１の温度設定のための第１の位置と、第２の温度設定のための第２の位置とを有してもよい。
【００２２】
電源４０（例えば、電池）は、温度制御及びユーザインターフェース回路７４、測定及び安全回路６６、並びに電力切替回路６８に電力を供給してもよい。スイッチ７６（スイッチオン／オフとして表示される）は、温度制御及びユーザインターフェース回路７４に信号を送信してもよい。続いて、温度制御及びユーザインターフェース回路７４は、温度選択スイッチ７８の位置に応じて、第１のＬＥＤ５８（例えば、加熱インジケータ高温と表示される、高温加熱インジケータ）又は第２のＬＥＤ６０（例えば、加熱インジケータ高温と表示される低温加熱インジケータ）のうちの１つに信号を出力して、所望の温度設定を指示してもよい。温度制御及びユーザインターフェース回路７４はまた、出力信号を電力切替回路６８に送ることができ、加熱部材１６（ヒータとして表示される）に信号を送信し、加熱部材１６を特定の所定温度まで加熱させる。１つ以上の温度センサ７２は、加熱部材１６の温度を測定し、測定及び安全回路６６及びマイクロコントローラ４４に信号を送信する。測定及び安全回路６６は、温度が特定の閾値レベルを上回る（例えば、不快であるか、又は皮膚に火傷を与え得る）場合に、電力切替回路６８に信号を送信する。電力切替回路６８は、加熱部材１６への電力供給を減少し、又は停止し、温度センサ７２によって測定されている温度を低下させる。温度制御及びユーザインターフェース回路７４はまた、温度センサ７２から信号を受信する。したがって、温度制御及びユーザインターフェース回路７４もまた、加熱部材１６への電力供給を減少し、又は停止し、温度センサ７２によって測定されている温度を低下させることができる。したがって、２つの独立したシステムが、剃毛中に消費者に不快感又は火傷を生じさせ得る過熱を起こさないように、加熱部材１６を制御することができる。スイッチ７８を押圧又は変更して、温度制御及びユーザインターフェース回路７４に別の信号を送信し、温度を第２の所定温度に変化させてもよい。温度制御及びユーザインターフェース回路７４は、ＬＥＤ５８、６０のうちの１つに信号を送信して、新しい設定温度を示し、また電力切替回路６８にも信号を送信し、加熱部材１６の温度を変化させてもよい。温度制御及びユーザインターフェース回路７４は、スイッチ７６がオフ位置に変化した場合に、電源４０に信号を送信して電源スイッチ回路６８、測定及び安全回路６６への電力供給を停止してもよい。温度制御及びユーザインターフェース回路７４はまた、ＬＥＤ５８及び６０の両方への電源供給を停止することによって、ユーザに対してオフ状態を示してもよい。
【００２３】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【００２４】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、そのような発明全てを教示、示唆又は開示するとは見なされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００２５】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【図１Ａ】
2021516101.tif 000003
【図１Ｂ】
2021516101.tif 000004
【図２】
2021516101.tif 000005
【図３】
2021516101.tif 000006
【図４】
2021516101.tif 000007
【図５】
2021516101.tif 000008
【図６】
2021516101.tif 000009
【国際調査報告】
2021516101.tif 000010
2021516101.tif 000011